(57)【要約】【課題】内針の抜去操作と同時に、プロテクターで内針の鋭利な末端を保護することのできる操作性に優れた留置針を提供すること。【解決手段】誤刺防止部材は、プロテクター７Ｐと、ゲート７Ｇ及びゲート保持部７Ｆを有する。  内針２Ｎは、基端ＤＥ方向に移動させると、内針２Ｎの掛止部２ＮＤＳが、ゲート保持部７Ｆの掛止部ＦＤＳに掛止される。さらに内針２Ｎを基端ＰＥ方向に引いて移動させると、ゲート保持部７Ｆは、プロテクター７Ｐのさらに基端ＰＥ方向に引き込まれ、ゲート保持部７Ｆの基端ＰＥ側が、当該プロテクター７Ｐの基端ＰＥ側に突き当たる。ゲート７Ｇは、プロテクター７Ｐの末端ＤＥ側に引き込まれ、ゲート７Ｇはプロテクター７Ｐの末端ＤＥ側の開口部７ＰＯＤＥを閉鎖する。プロテクター７Ｐは、内針の鋭利な末端を保護した状態で、止血弁部材５から離脱することができる。【選択図】図５
2014023746.tif 000002
【特許請求の範囲】
【請求項１】
内針部材（２）、外筒部材（３）、止血弁部材（５）及び誤刺防止部材（７）を有し、前記内針部材（２）は、内針（２Ｎ）と内針基（２Ｍ）を有し、
前記内針（２Ｎ）は、途中に掛止部（２ＮＤＳ）を形成し、
前記外筒部材（３）は、外筒（３Ｈ）と外筒基（３Ｍ）を有し、
前記止血弁部材（５）は、止血弁（５Ｖ）とケース（５ＣＤＥ、５ＣＰＥ）を有し、
前記ケース（５ＣＤＥ、５ＣＰＥ）は、基端側ケース（５ＣＰＥ）に、接続部材（５ＣＰＥＭ）を形成し、
前記誤刺防止部材（７）は、プロテクター（７Ｐ）と、ゲート（７Ｇ）及びゲート保持部（７Ｆ）を有し、前記プロテクター（７Ｐ）は、末端ＤＥ側寄りないし末端ＤＥ側に接続部材（７ＰＴ）を形成し、
前記ゲート（７Ｇ）は、前記ゲート保持部（７Ｆ）に係止した状態で、前記プロテクター（７Ｐ）内に配置し、
前記ゲート保持部（７Ｆ）は、掛止部（ＦＤＳ）を有し、
第一の状態では、前記内針（２Ｎ）は、末端ＤＥを前記外筒（３Ｈ）の末端ＤＥより、さらに末端ＤＥに突出するように配置し、
前記プロテクター（７Ｐ）の末端ＤＥ側は、前記止血弁部材（５）のケース（５ＣＤＥ、５ＣＰＥ）の基端側ケース（５ＣＰＥ）と接続し、
第一の状態から第二の状態に移行するときに、前記内針（２Ｎ）は、基端ＤＥ方向に移動させると、前記内針（２Ｎ）の掛止部（２ＮＤＳ）が、ゲート保持部（７Ｆ）の掛止部（ＦＤＳ）に掛止され、
さらに、前記内針（２Ｎ）を基端ＰＥ方向に引いて移動させると、ゲート保持部（７Ｆ）は、プロテクター（７Ｐ）のさらに基端ＰＥ方向に引き込まれ、当該ゲート保持部（７Ｆ）の基端ＰＥ側が、前記当該プロテクター（７Ｐ）の基端ＰＥ側に突き当たり、
第二の状態では、前記ゲート（７Ｇ）は、前記プロテクター（７Ｐ）の末端ＤＥ側に引き込まれ、当該ゲート（７Ｇ）はプロテクター（７Ｐ）の末端ＤＥ側の開口部（７ＰＯＤＥ）を閉鎖し、
前記プロテクター（７Ｐ）は、前記内針（２Ｎ）の鋭利な末端ＤＥを保護した状態で、前記止血弁部材（５）から離脱することができるように形成した、
ことを特徴とする留置針（１）。
【請求項２】
前記プロテクター（７Ｐ）は、全体長さ７ＰＬ：１００に対する末端ＤＥ側寄り長さ７ＤＥＬ：３０／１００〜５０／１００を、前記止血弁部材（５）の基端側ケース（５ＣＰＥ）の基端ＰＥ側内に挿入した、ことを特徴とする請求項１に記載の留置針（１）。
【請求項３】
前記ゲート（７Ｇ）は、係止部（７ＧＫ）と遮蔽部（７ＧＳ）を有し、
係止部（７ＧＫ）は、末端ＤＥ側に遮蔽部（７ＧＳ）を装着し、
係止部（７ＧＫ）は、前記ゲート保持部（７Ｆ）の係止孔（７ＧＨ）を形成した、
ことを特徴とする請求項１または請求項２に記載の留置針（１）。
【請求項４】
前記ゲート保持部（７Ｆ）は、略筒状の本体（７ＦＨ）を有し、
当該本体（７ＦＨ）は、末端ＤＥ側に、複数の略竿状片（７ＦＴＳ）を延設し、当該略竿状片竿（７ＦＴＳ）のさらに末端ＤＥ側で、第１側部Ｓ１方向に、係止突起７ＦＴを形成し、
前記本体（７ＦＨ）は基端ＰＥ側に、小径部（７ＦＳ）を有し、
本体（７ＦＨ）と小径部（７ＦＳ）との間に、掛止部（７ＦＤＳ）を有する、
ことを特徴とする請求項１から請求項３のいずれか１項に記載の留置針（１）。
【請求項５】
内針部材（２）、外筒部材（３）、止血弁部材（５）及び誤刺防止部材（７）を有し、
前記内針部材（２）は、内針（２Ｎ）と内針基（２Ｍ）を有し、
前記内針（２Ｎ）は、途中に掛止部（２ＮＤＳ）を形成し、
前記外筒部材（３）は、外筒（３Ｈ）と外筒基（３Ｍ）を有し、
前記止血弁部材（５）は、止血弁（５Ｖ）とケース（５ＣＤＥ、５ＣＰＥ）を有し、
前記ケース（５ＣＤＥ、５ＣＰＥ）は、基端側ケース（５ＣＰＥ）に、接続部材（５ＣＰＥＭ）を形成し、
前記誤刺防止部材（７）は、プロテクター（７Ｐ）と、ゲート（７Ｇ）及びゲート保持部（７Ｆ）を有し、前記プロテクタ（７Ｐ）は、末端ＤＥ側寄りないし末端ＤＥ側に接続部材（７ＰＴ）を形成し、
前記ゲート（７Ｇ）は、前記ゲート保持部（７Ｆ）に係止した状態で、前記プロテクター（７Ｐ）内に配置し、
前記外筒部材（３）は、外筒基（３Ｍ）の基端ＤＥ側にチューブ（３Ｔ）の末端ＤＥ側を接続し、当該チューブ（３Ｔ）の基端ＤＥ側に、コネクター（３ＣＮ）を接続し、
前記コネクター（３ＣＮ）の基端ＰＥ側に、前記ケース（５ＣＤＥ、５ＣＰＥ）の末端側ケース（５ＣＤＥ）を接続し、
記ケース（５ＣＤＥ、５ＣＰＥ）の基端側ケース（５ＣＰＥ）を前記プロテクター（７Ｐ）の末端ＤＥ側寄りないし末端ＤＥ側に接続し、
前記プロテクタ（７Ｐ）の基端ＰＥ側を前記内針基（２Ｍ）の末端ＤＥ側に接続し、前記内針基（２Ｍ）の基端ＰＥ側に、キャップ（２ＣＰ）を装着した、
ことを特徴とする留置針（１）。
【請求項６】
前記外筒（３Ｈ）の大径部（３ＨＬ）に、外筒基（３Ｍ）を装着し、
当該外筒基（３Ｍ）は、本体（３ＭＨ）の内部に複数の突起（３ＭＴ）を形成し、
前記外筒基（３Ｍ）の基端ＰＥ側と、前記外筒（３Ｈ）の基端ＰＥ側との間に、
前記チューブ（３ＣＮ）の基端ＰＥ側を、装着したことを特徴とする請求項５に記載の留置針（１）。
【発明の詳細な説明】
【技術分野】
【０００１】
本発明は、血液透析、血液浄化、輸液、採血等の治療を行うときに、患者の血管に穿刺して、外筒（外套、外針ともいう）を留置する留置針に関し、穿刺後、内針を抜きとるときに、内針の危険な露出を防止するための誤刺防止部材（プロテクター）を有する留置針に関する。
本発明は、例えば、内針の鋭利な末端を保護（シールド）するものである。  
特に、穿刺後、誤刺防止部材（プロテクター）の固定を解除して、内針の鋭利な末端を保護（シールド）することができる「留置針の誤刺防止部材（プロテクター）」の形態・機構を改良した留置針の改良に関する。
【背景技術】
【０００２】
このような、留置針に関する先行技術として、特許文献１に、以下のような、留置針の発明が開示されている。
特許文献１は「保護具本体の膨出部（１９）に外周面から軸線交差方向に凹部（２２）を形成して、外周側から凹部（２２）内にストッパー部材（２７）及び圧縮ばね（３３）を挿入設置できるようにしている。（段落［００３７］、図２参照）」
特許文献１に記載の留置針は、誤刺防止部材付きの製品としては、現在最も多く国内で市販されている優れた発明である。
しかしながら、誤刺防止部材（プロテクター）の固定（ロック）・解除手段として、特許文献１に記載されている留置針のように、ばねを作動機構として使用したものは、以下の課題が挙げられる。
【０００３】
また、外針を通じての血液の漏出防止と、外針から抜去された内針の針先保護による誤穿刺事故の発生防止とを、組立体全体の大型化を招くことなく、達成することのできる留置針組立体として特許文献２の発明が開示されている。
特許文献２に記載の発明は、誤刺防止部材として、プロテクター本体（９２）とプロテクター本体（９２）に外挿される作用リング（９４）とを有する針先保護用プロテクター（７８）が装着されている。
プロテクター本体（９２）は、内針（１０）に設けられた係合部（２０）と係合して、内針（２０）と一体移動する。
プロテクター本体（９２）は、先端部が内針（１０）に接近する方向に撓み変形し得る状態で、設けられた可撓片（１２２、１２４）を有する。
さらに可撓片（１２２、１２４）は、プロテクター本体（９２）が内針（１０）の針先側に移動した状態で、可撓片（１２２、１２４）が、その先端部を内針（１０）に接近させる方向に撓み変形したときに、針先を覆う保護位置に位置する保護部（１３０）を有する。
【０００４】
作用リング（９４）は、プロテクター本体（９２）の先端側への前進移動により、可撓片（１２２、１２４）の先端部を、内針（１０）に接近する方向に撓み変形させて、保護部（１３０）を保護位置に位置させる。
また作用リング（９４）に、収容筒部（３４）の先端側開口部を通じて、外針ハブ内に延び出す係止用突出部（１５２）が一体形成されている。
係止用突出部（１５２）が、外針ハブに係止されていることにより、内針（１０）が外針内から抜去されるときの内針（１０）とプロテクター本体（７８）との一体移動に伴い、作用リング（９４）をプロテクター本体（７８）に対して相対的に前進移動させると共に、前記可撓片（１２２、１２４）を撓み変形させて、保護部（１３０）を保護位置に位置させるようにしている。
特許文献２に記載の発明は、血液の漏出防止と、内針の針先保護による誤穿刺事故の発生防止とを、達成することのできる優れた発明である。
しかしながら、特許文献２のように、プロテクター本体（９２）に外挿された作用リング（９４）を有するものは、以下の課題が挙げられる。
【先行技術文献】
【特許文献】
【０００５】
【特許文献１】特開２００３−１９９８２２号公報（段落［００３７］、図２）
【特許文献２】特開２０１０−８８５２１号公報（特許請求の範囲、図１〜２０）
【発明の概要】
【発明が解決しようとする課題】
【０００６】
特許文献１に記載の発明は、
（ａ）保護具本体のサイズ（特に外径）が大きくなり、全体がかさばって取り扱い作業性が悪くなる。
（ｂ）ストッパー部材（２７）及び圧縮ばね（３３）の取付が難しく、品質の安定した製品を安定して供給することが困難である。
（ｃ）ストッパー部材（２７）及び圧縮ばね（３３）取付の際に、固定位置等が少しでもずれると、作動しずらくなる。
等が挙げられる。
【０００７】
特許文献２に記載の発明は、
（ｅ）誤刺防止部材が、プロテクター本体（９２）とプロテクター本体（９２）に外挿された作用リング（９４）からなり、さらに作用リング（９４）に、外針ハブ内に延び出す係止用突出部（１５２）を一体形成されているので、内針（１０）の先端を保護する際に、長手方向のサイズが長くなり、取り扱い作業性が悪くなる。
（ｆ）プロテクター本体（９２）とプロテクター本体（９２）に外挿される作用リング（９４）が、それぞれ相互の動きに伴い変形する形態を有している。このため取付が難しい。
（ｇ）プロテクター本体（７８）と作用リング（９４）に、外圧等により不慮の負荷等がかかると一部に歪等が発生しやすく、作動しずらくなる懸念がある。
（ｈ）誤刺防止部材を構成するプロテクター本体（９２）は、金属製のため、誤刺防止部材の重量増加を招来し、穿刺および内針抜去時の製品の姿勢保持が困難になることが懸念される。
等が挙げられる。
【課題を解決するための手段】
【０００８】
本発明者は、以上の課題を解決するために鋭意検討を重ねた結果、誤刺防止部材（プロテクター）の形態、取り付け機構を改良した以下の新規な留置針の発明に到達した。
【０００９】
［１］本発明は、内針部材（２）、外筒部材（３）、止血弁部材（５）及び誤刺防止部材（７）を有し、
前記内針部材（２）は、内針（２Ｎ）と内針基（２Ｍ）を有し、前記内針（２Ｎ）は、途中に掛止部（２ＮＤＳ）を形成し、
前記外筒部材（３）は、外筒（３Ｈ）と外筒基（３Ｍ）を有し、
前記止血弁部材（５）は、止血弁（５Ｖ）とケース（５ＣＤＥ、５ＣＰＥ）を有し、
前記ケース（５ＣＤＥ、５ＣＰＥ）は、基端側ケース（５ＣＰＥ）に、接続部材（５ＣＰＥＭ）を形成し、
前記誤刺防止部材（７）は、プロテクター（７Ｐ）と、ゲート（７Ｇ）及びゲート保持部（７Ｆ）を有し、前記プロテクター（７Ｐ）は、末端ＤＥ側寄りないし末端ＤＥ側に接続部材（７ＰＴ）を形成し、
前記ゲート（７Ｇ）は、前記ゲート保持部（７Ｆ）に係止した状態で、前記プロテクター（７Ｐ）内に配置し、
前記ゲート保持部（７Ｆ）は、掛止部（ＦＤＳ）を有し、
第一の状態では、前記内針（２Ｎ）は、末端ＤＥを前記外筒（３Ｈ）の末端ＤＥより、さらに末端ＤＥに突出するように配置し、
前記プロテクター（７Ｐ）の末端ＤＥ側は、前記止血弁部材（５）のケース（５ＣＤＥ、５ＣＰＥ）の基端側ケース（５ＣＰＥ）と接続し、
第一の状態から第二の状態に移行するときに、前記内針（２Ｎ）は、基端ＤＥ方向に移動させると、前記内針（２Ｎ）の掛止部（２ＮＤＳ）が、ゲート保持部（７Ｆ）の掛止部（ＦＤＳ）に掛止され、
さらに、前記内針（２Ｎ）を基端ＰＥ方向に引いて移動させると、ゲート保持部（７Ｆ）は、プロテクター（７Ｐ）のさらに基端ＰＥ方向に引き込まれ、当該ゲート保持部（７Ｆ）の基端ＰＥ側が、前記当該プロテクター（７Ｐ）の基端ＰＥ側に突き当たり、
第二の状態では、前記ゲート（７Ｇ）は、前記プロテクター（７Ｐ）の末端ＤＥ側に引き込まれ、当該ゲート（７Ｇ）はプロテクター（７Ｐ）の末端ＤＥ側の開口部（７ＰＯＤＥ）を閉鎖し、
前記プロテクター（７Ｐ）は、前記内針（２Ｎ）の鋭利な末端ＤＥを保護した状態で、前記止血弁部材（５）から離脱することができるように形成した留置針（１）を
提供する。
【００１０】
［２］本発明は、前記プロテクター（７Ｐ）は、全体長さ７ＰＬ：１００に対する末端ＤＥ側寄り長さ７ＤＥＬ：３０／１００〜５０／１００を、前記止血弁部材（５）の基端側ケース（５ＣＰＥ）の基端ＰＥ側内に挿入した[１]に記載の留置針（１）を
提供する。
［３］本発明は、前記ゲート（７Ｇ）は、係止部（７ＧＫ）と遮蔽部（７ＧＳ）を有し、
係止部（７ＧＫ）は、末端ＤＥ側に遮蔽部（７ＧＳ）を装着し、
係止部（７ＧＫ）は、前記ゲート保持部（７Ｆ）の係止孔（７ＧＨ）を形成した［１］または［２］に記載の留置針（１）。
［４］本発明は、前記ゲート保持部（７Ｆ）は、略筒状の本体（７ＦＨ）を有し、
当該本体（７ＦＨ）は、末端ＤＥ側に、複数の略竿状片（７ＦＴＳ）を延設し、当該略竿状片竿（７ＦＴＳ）のさらに末端ＤＥ側で、第１側部Ｓ１方向に、係止突起７ＦＴを形成し、
前記本体（７ＦＨ）は基端ＰＥ側に、小径部（７ＦＳ）を有し、
本体（７ＦＨ）と小径部（７ＦＳ）との間に、掛止部（７ＦＤＳ）を有する［１］から［３］のいずれか１に記載の留置針（１）を提供する。
【００１１】
［５］本発明は、内針部材（２）、外筒部材（３）、止血弁部材（５）及び誤刺防止部材（７）を有し、
前記内針部材（２）は、内針（２Ｎ）と内針基（２Ｍ）を有し、前記内針（２Ｎ）は、途中に掛止部（２ＮＤＳ）を形成し、
前記外筒部材（３）は、外筒（３Ｈ）と外筒基（３Ｍ）を有し、
前記止血弁部材（５）は、止血弁（５Ｖ）とケース（５ＣＤＥ、５ＣＰＥ）を有し、
前記ケース（５ＣＤＥ、５ＣＰＥ）は、基端側ケース（５ＣＰＥ）に、接続部材（５ＣＰＥＭ）を形成し、
前記誤刺防止部材（７）は、プロテクター（７Ｐ）と、ゲート（７Ｇ）及びゲート保持部（７Ｆ）を有し、前記プロテクタ（７Ｐ）は、末端ＤＥ側寄りないし末端ＤＥ側に接続部材（７ＰＴ）を形成し、
前記ゲート（７Ｇ）は、前記ゲート保持部（７Ｆ）に係止した状態で、前記プロテクター（７Ｐ）内に配置し、
前記外筒部材（３）は、外筒基（３Ｍ）の基端ＤＥ側にチューブ（３Ｔ）の末端ＤＥ側を接続し、当該チューブ（３Ｔ）の基端ＤＥ側に、コネクター（３ＣＮ）を接続し、
前記コネクター（３ＣＮ）の基端ＰＥ側に、前記ケース（５ＣＤＥ、５ＣＰＥ）の末端側ケース（５ＣＤＥ）を接続し、
前記ケース（５ＣＤＥ、５ＣＰＥ）の基端側ケース（５ＣＰＥ）を前記プロテクター（７Ｐ）の末端ＤＥ側寄りないし末端ＤＥ側に接続し、
前記プロテクタ（７Ｐ）の基端ＰＥ側を前記内針基（２Ｍ）の末端ＤＥ側に接続し、前記内針基（２Ｍ）の基端ＰＥ側に、キャップ（２ＣＰ）を装着した留置針（１）を提供する。
［６］本発明は、前記外筒（３Ｈ）の大径部（３ＨＬ）に、外筒基（３Ｍ）を装着し、当該外筒基（３Ｍ）は、本体（３ＭＨ）の内部に複数の突起（３ＭＴ）を形成し、
前記外筒基（３Ｍ）の基端ＰＥ側と、前記外筒（３Ｈ）の基端ＰＥ側との間に、
前記チューブ（３ＣＮ）の基端ＰＥ側を、装着した留置針（１）を提供する。
【発明の効果】
【００１２】
本発明の留置針は、
（１）誤刺防止部材に、特許文献１、２のようにバネの反発や部材の変形等の不安定な作用を使用せず、内針２Ｎを引き抜く方向のみに、プロテクター７Ｐの開口部７ＰＯＤＥを閉鎖するように安定して作動するゲート７を使用している。
このため内針抜去という作業者（医師、看護師）自身が制御しうる動作により作動する信頼性の高い製品を提供することができる。
（２）内針部材２（内針２Ｎ）の抜去操作と同時に、（特許文献２に記載の発明のように誤刺防止部材７を長手方向に引き延ばすことなく）プロテクター７Ｐで内針２Ｎの鋭利な末端ＤＥの保護（シールド）できるので操作性に優れる。抜去操作時に、内針２Ｎの鋭利な末端ＤＥで、作業者（医師、看護師）および施術者（患者）を傷つけることがない。
（３）特許文献１に記載の発明（バネで保護部材を留置針内に組み込む発明）、特許文献２に記載の発明（プロテクター本体９２に作用リング９４を外挿したもの）と比較して、部品点数が少なく、誤刺防止部材は、軽量化できる。このため誤刺防止部材７（プロテクター７Ｐ）の留置針内への固定、プロテクター７Ｐで内針２Ｎの鋭利な末端ＤＥの保護（シールド）操作が容易である。
（４）プロテクター７Ｐは、内針２Ｎの鋭利な末端ＤＥから取り外しできないので、
内針２Ｎを廃棄する時も、安全である。
【図面の簡単な説明】
【００１３】
【図１】図１は、本発明の留置針の全体図（組み立て後の状態）である。第１側部Ｓ１方向から見た全体図である。
【図２】図２は、本発明の留置針の外筒部材３の全体図（組み立て後の状態）である。（Ａ）は上部Ｕ方向かつ、第１側部Ｓ１方向から見た全体斜視図、（Ｂ）は（Ａ）の長手方向の縦断面である。
【図３】図３は、本発明の留置針の止血弁部材５の全体図（組み立て後の状態）である。（Ａ）は上部Ｕ方向かつ、第１側部Ｓ１方向から見た全体斜視図、（Ｂ）は（Ａ）の長手方向の縦断面である。（基端ＰＥ側に、止血弁部材５を装着している。）
【図４】図４は、本発明の留置針の内針部材２の全体図（組み立て後の状態）である。（Ａ）は上部Ｕ方向かつ、第１側部Ｓ１方向から見た全体斜視図、（Ｂ）は（Ａ）の長手方向の縦断面で、内針基２Ｍ付近の拡大図、（Ｃ）は、（Ａ）のＡ部拡大図である。
【図５】図５は、本発明の留置針のプロテクター部材７の長手方向の縦断面図である。（Ａ）は穿刺時、（Ｂ）は移行状態（内針２Ｎが、基端ＰＥ側に移行する途中）、（Ｃ）は移行終了状態（ゲート７Ｇが閉じる直前）、（Ｄ）は抜去時（ゲート７Ｇが閉じた状態）を示している。
【図６】図６は本発明の留置針の使用状態図で、（Ａ）は穿刺時、（Ｂ）は抜去時を示している。
【図７】図７は、本発明の留置針の止血弁部材５の止血弁５Ｖの全体図で、それぞれ、（Ａ）は末端ＤＥ側でかつ、第１側部Ｓ１側、（Ｂ）は基端ＰＥ側でかつ、第１側部Ｓ１側、（Ｃ）は末端ＤＥ側、（Ｄ）は長手方向の一部切欠縦断面、（Ｅ）は基端ＰＥ側からみた全体図である。
【図８】図８は、本発明の留置針の止血弁部材５の（止血弁部材）末端側ケース５ＣＤＥの全体図で、それぞれ、（Ａ）は末端ＤＥ側でかつ、第１側部Ｓ１側、（Ｂ）は基端ＰＥ側でかつ、第１側部Ｓ１側、（Ｃ）は末端ＤＥ側、（Ｄ）は第１側部Ｓ１側、（Ｅ）は基端ＰＥ側からみた全体図である。
【図９】図９は、本発明の留置針の止血弁部材５の（止血弁部材）基端側ケース５ＰＤＥの全体図で、それぞれ、（Ａ）は末端ＤＥ側でかつ、第１側部Ｓ１側、（Ｂ）は基端ＰＥ側でかつ、第１側部Ｓ１側、（Ｃ）は末端ＤＥ側、（Ｄ）は第１側部Ｓ１側、（Ｅ）は基端ＰＥ側からみた全体図である。
【図１０】図１０は、本発明の留置針の内針部材２のキャップ２ＣＰの全体図で、それぞれ、（Ａ）は末端ＤＥ側でかつ、第１側部Ｓ１側、（Ｂ）は基端ＰＥ側でかつ、第１側部Ｓ１側、（Ｃ）は末端ＤＥ側、（Ｄ）は第１側部Ｓ１側、（Ｅ）は基端ＰＥ側からみた全体図である。
【図１１】図１１は、本発明の留置針のプロテクター部材７のプロテクター７Ｐの全体図で、それぞれ、（Ａ）は末端ＤＥ側でかつ、第１側部Ｓ１側、（Ｂ）は基端ＰＥ側でかつ、第１側部Ｓ１側、（Ｃ）は末端ＤＥ側、（Ｄ）は第１側部Ｓ１側、（Ｅ）は基端ＰＥ側からみた全体図である。
【図１２】図１２は、本発明の留置針のプロテクター部材７のゲート７Ｇの全体図で、それぞれ、（Ａ）は末端ＤＥ側でかつ、第１側部Ｓ１側、（Ｂ）は基端ＰＥ側でかつ、第１側部Ｓ１側、（Ｃ）は末端ＤＥ側、（Ｄ）は第１側部Ｓ１側、（Ｅ）は基端ＰＥ側からみた全体図である。
【図１３】図１３は、本発明の留置針のプロテクター部材７のゲート保持部７Ｆの全体図で、それぞれ、（Ａ）は末端ＤＥ側でかつ、第１側部Ｓ１側、（Ｂ）は基端ＰＥ側でかつ、第１側部Ｓ１側、（Ｃ）は末端ＤＥ側、（Ｄ）は第１側部Ｓ１側、（Ｅ）は基端ＰＥ側からみた全体図である。
【図１４】図１４は、本発明の留置針の外筒部材３のコネクター３ＣＮの全体図で、それぞれ、（Ａ）は末端ＤＥ側でかつ、第１側部Ｓ１側、（Ｂ）は基端ＰＥ側でかつ、第１側部Ｓ１側、（Ｃ）は末端ＤＥ側、（Ｄ）は第１側部Ｓ１側、（Ｅ）は基端ＰＥ側、からみた全体図である。
【図１５】図１５は、本発明の留置針の外筒部材３の外筒３Ｍの全体図で、それぞれ（Ａ）は末端ＤＥ側でかつ、第１側部Ｓ１側、（Ｂ）は基端ＰＥ側でかつ、第１側部Ｓ１側、（Ｃ）は末端ＤＥ側、（Ｄ）は第１側部Ｓ１側、（Ｅ）は基端ＰＥ側からみた全体図である。
【図１６】図１６は、本発明の留置針の外筒部材３の外筒基３Ｍの全体図で、それぞれ、（Ａ）は末端ＤＥ側でかつ、第１側部Ｓ１側、（Ｂ）は基端ＰＥ側でかつ、第１側部Ｓ１側、（Ｃ）は末端ＤＥ側、（Ｄ）は第１側部Ｓ１側、（Ｅ）は基端ＰＥ側からみた全体図である。
【図１７】図１７は、本発明の留置針の内針部材２の内針基２Ｍの全体図で、それぞれ、（Ａ）は末端ＤＥ側でかつ、第１側部Ｓ１側、（Ｂ）は基端ＰＥ側でかつ、第１側部Ｓ１側、（Ｃ）は末端ＤＥ側、（Ｄ）は第１側部Ｓ１側、（Ｅ）は基端ＰＥ側、からみた全体図である。
【図１８】図１８は、本発明の留置針のプロテクター部材７の長手方向の縦断面図である。
【発明を実施するための形態】
【００１４】
以下、図面を参照しながら本発明を詳細に説明する。
以下、本発明を明確に説明するため、次の定義をおく。
（定義１）本発明の留置針において、「第一の状態」とは、図１に示すように、内針部材２を、外筒部材３に装着した状態を意味する。
換言すれば、内針２Ｎの末端ＤＥ側の端部が、外筒３より、僅かに末端ＤＥ側に突出した状態で、プロテクター７Ｐで保護（シールド）されていない状態を意味する。
さらにいえば、留置針の組立時、または内針２Ｎを外筒３に装着した位置、または患者への穿刺時の位置である。
【００１５】
（定義２）図６（Ｂ）に示すように、「第二の状態」とは、プロテクター７Ｐが、末端ＤＥ側に移動し、内針２Ｎの末端ＤＥ側の端部が、プロテクター７Ｐで保護（シールド）されている状態を意味する。さらにいえば、内針部材２Ｎを患者から抜去した状態の位置である。
（定義３）「移行状態」とは、「第一の状態」から「第二の状態」へ移行する途中の状態を意味する。
（定義４）「移行開始状態」とは、「第一の状態」から「第二の状態」へ移行を開始する初期の状態を意味する。
（定義５）「移行終了状態」とは、「第一の状態」から「第二の状態」へ移行を終了する間際の状態を意味する。
（定義６）本発明で、「基端ＰＥ（側または方向）」とは、図１に示すように、キャップ２ＣＰ側の端部を意味する。
（定義７）「末端ＤＥ（側または方向）」とは、図１に示すように、「基端ＰＥ（側または方向）」と反対側の端部を意味する。さらにいえば、内針２Ｎ側の端部を意味する。
【００１６】
（定義８）「水平軸線ＨＬ（方向）」とは、図１に示すように、留置針１が長手方向に延びる方向（図の破線参照）を意味する。なお説明で必要な場合は、長手Ｌ方向の水平軸線を「ＨＬＬ」、側部Ｓ方向の水平軸線を「ＨＬＳ」とそれぞれ区別して記載する。
（定義９）「垂直軸線ＶＬ（方向）」とは、図１に示すように、長手方向と略垂直に交差して延びる方向（図の破線参照）を意味する。
（定義１０）「第１側部Ｓ１（側または方向）」とは、図２に示すように、例えば外筒部材３の右側端部の方向（図の破線矢印参照）を意味する。
（定義１１）「第２側部Ｓ２（側または方向）」とは、図２に示すように、例えば外筒部材３の左側端部の方向（図の破線矢印参照）を意味する。
（定義１２）「上部Ｕ（側または方向）」とは、図２に示すように、例えば外筒部材３の上部（図の破線矢印参照）を意味する。
（定義１３）「下部Ｄ（側または方向）」とは、図２に示すように、例えば外筒部材３下部方向（図の破線矢印参照）を意味する。
（定義１４）「長手方向」とは、「留置針」全体の長手方向［水平軸線ＨＬ（方向）］を意味する）。
（各構成部品の名称の位置・配置等の方向性を示す符号の記載について）
本発明の図面及び発明の説明の中で、例えば図１１に例示するように、プロテクター突起７ＰＴの符号で、第１側部Ｓ１側のプロテクター突起７ＰＴを「７ＰＴ／Ｓ１」、上部側Ｕのプロテクター突起７ＰＴを「７ＰＴ／Ｕ」と記載した。
なおこれらのプロテクター７Ｐ並びにこれら以外の各構成部品の名称で、「第１側部Ｓ１側」等の位置・配置等の方向性を示す符号は、発明の理解ができ、必要と認められる範囲内で、図面及び発明の説明の中で一部のみについて記載した。
【００１７】
［留置針１］          
本発明の留置針１について、以下、図面を参照しながら説明する。            
本発明の留置針１は、図１、図４に示すように、内針部材２、外筒部材３、止血弁部材５及び誤刺防止部材７を有する。
留置針１は、末端ＤＥから基端ＰＥに向けて、内針２Ｎの末端ＤＥ、外筒３Ｈ、外筒部材３、外筒基３Ｍ、クランピングチューブ３Ｔ、コネクター３ＣＮ、止血弁部材５、誤刺防止部材７、内針基２Ｍ、キャップ２ＣＰを配置している。
以下これらの各部材の形態、機能は、以下のとおりである。
【００１８】
[内針部材２]
内針部材２は、図４に示すように、内針２Ｎ、内針基２Ｍ、キャップ２ＣＰ及び通気フィルタ２Ｆを有する。
（内針２Ｎ）
内針２Ｎは、基端ＰＥ側を、内針基２Ｍの内部に装着している。
内針２Ｎは、末端ＤＥ側寄りの途中に、掛止部２ＮＤＳを有する。さらにいえば掛止部２ＮＤＳとして、段部２ＮＤＳを有する。
（内針基２Ｍ）
内針基２Ｍは、図４（Ｂ）、図１７に示すように、いわゆる「略管状体」の形態を有している。
内針基２Ｍは、末端ＤＥ側に、プロテクター７Ｐの基端ＰＥ側の装着部２ＭＤＥ（略円筒状体）を形成している。
内針基２Ｍは、基端ＰＥ側に、キャップ２ＣＰの末端ＤＥ側の装着部２ＭＰＥ（略管状体）を形成している。
内針基２Ｍは、末端ＤＥ側から略中央部の内部に亘って、内針２Ｎの装着部２ＭＮ（細い孔）を形成している。
【００１９】
（キャップ２ＣＰ）
キャップ２ＣＰは、図４（Ｂ）、図１０に示すように、いわゆる「略管状体」の形態を有している。
キャップ２ＣＰは、末端ＤＥ側に、小径部２ＣＰＳを形成している。
キャップ２ＣＰは、基端ＰＥ側に、（小径部よりは大径の）本体２ＣＰＨを形成している。
小径部２ＣＰＳの基端ＰＥ側（本体２ＣＰＨの末端ＤＥ側）の内部に、通気フィルター２Ｆを装着している。
【００２０】
[外筒部材３]
外筒部材３は、図２に示すように、外筒３Ｈ、外筒基３Ｍ、クランピングチューブ３Ｔ及びコネクター３ＣＮを有する。
（外筒３Ｈ）
外筒３Ｈは、図１５に示すように、いわゆる「略管状体」の形態を有している。
外筒３Ｈは、略中央部から末端ＤＥ側に向けて細径のいわゆる「略管状体」（細径部３ＨＳ）を形成している。
外筒３Ｈは、基端ＰＥ側を、大径のいわゆる「略管状体」（大径部３ＨＬ）に形成している。
中間の外筒３Ｈは、細径部３ＨＳと大径部３ＨＬとの間に、細径部３ＨＳの末端ＤＥ側にむけて下る、いわゆる「略テーパー状の管状体」（テーパー部３ＨＴＰ）を形成している。
外筒３Ｈは、基端ＰＥ側を、外筒基３Ｍの内部に装着している。
外筒３Ｈは、末端ＤＥ側を「絞り」、「Ｒ加工」を施している。（図中の符号、ＳＲ参照）このように絞り加工部ＳＲを形成することにより、血管への挿入性を向上させることがでる。
また外筒３Ｈは、末端ＤＥ側の側部Ｓに複数（４箇所に）の側孔３ＨＲＳを形成している。 
側孔３ＨＲＳを形成することにより、血流量を確保し、血液の凝固等を防ぐことができる。 
【００２１】
（外筒基３Ｍ）
外筒基３Ｍは、図１６に示すように、いわゆる「略管状体」の形態を有している。
外筒基３Ｍは、略中央部から末端ＤＥ側に向けて下る、いわゆる「テーパー状の管状体」（テーパー部３ＭＴＰ）を形成している。
外筒基３Ｍは、略中央部から基端ＰＥ側に向けていわゆる「略管状体」（本体３ＭＨ）を形成している。
外筒基３Ｍは、本体３ＭＨの内部に、複数の突起３ＭＴを形成している。
外筒基３Ｍの基端ＰＥ側の内部にクランピングチューブ３Ｔを装着している。
突起３ＭＴにより、外筒３Ｈをかしめて固定することができる。
【００２２】
（クランピングチューブ３Ｔ）
クランピングチューブ３Ｔ（以下、単に「チューブ３Ｔ」と記載する場合がある。）は、図２に示すようにいわゆる「細長い管状体」に形成している。
チューブ３Ｔは、基端ＰＥ側をコネクター３ＣＮの末端ＤＥ側内部に装着している。
さらにいえば、チューブ３Ｔは、溶剤接着している。
チューブ３Ｔは、末端ＤＥ側を外筒基３Ｍと外筒３Ｈとの間に装着している。詳細は後述する。
（コネクター３ＣＮ）
コネクター３ＣＮは、図１４に示すように、いわゆる「略管状体」の形態を有している。
コネクター３ＣＮは、末端ＤＥ側に、チューブ３Ｔの装着部３ＣＮＤＥを形成している。
コネクター３ＣＮは、基端ＰＥ側に、止血弁部材５の末端側ケース５ＣＤＥの装着部３ＣＮＰＥ（例えば、略管状体の外部にネジ山、ネジ溝等）を形成している。
【００２３】
（外筒部材３の組立）
外筒部材３の組立方法の一例について詳述する。
（１）外筒３Ｈを、外筒基３Ｍの内部に装着する。
（２）チューブ３Ｔの末端ＤＥ側を、外筒基３Ｍの基端ＰＥ側に溶剤接着する。
このとき、チューブ３Ｔの末端ＤＥ側は、外筒３Ｈと外筒基３Ｍの間に差し込んで、外筒３Ｈと外筒基３Ｍとの間で、はさまれた（サンドイッチ）状態で、組立てる。
さらにいえば、外筒３Ｈの基端ＰＥ側は、（外筒基３Ｍの内部に形成した）突起３ＭＴによりかしめられる。
チューブ３Ｔの基端ＰＥ側は、コネクター３ＣＮに溶剤接着する。
外筒３Ｈ自体はどの部品とも接着されない。
【００２４】
[止血弁部材５]
止血弁部材５は、図３に示すように、止血弁５Ｖ、（止血弁部材）末端側ケース５ＣＤＥ、及び（止血弁部材）基端側ケース５ＣＰＥを有する。
（止血弁５Ｖ）
止血弁５Ｖは、図３、図７に示すように、いわゆる「略円筒状」の形態を有している。
止血弁５Ｖは、内部に薄肉部５ＶＴを有し、薄肉部５ＶＴに切り込み５ＶＴＳを形成している。
（末端側ケース５ＣＤＥ）
末端側ケース５ＣＤＥは、図３、図８に示すように、いわゆる「略管状体」の形態を有している。
末端側ケース５ＣＤＥは、末端ＤＥ側に、大径部５ＣＤＥＬを有している。
大径部５ＣＤＥＬの末端ＤＥ側に、コネクター３ＣＮを装着している。
末端側ケース５ＣＤＥは、基端ＰＥ側に、小径部５ＣＤＥＳを有している。
小径部５ＣＤＥＳ内に、図３（Ｂ）に示すように一対の止血弁５Ｖを装着している。一方の止血弁５Ｖは薄肉部５ＶＴが末端ＤＥ側に位置し、もう一方の止血弁５Ｖは薄肉部５ＶＴが基端ＰＥ側に位置するように配置している。
【００２５】
（基端側ケース５ＣＰＥ）
基端側ケース５ＣＰＥは、図３、図９に示すように、いわゆる「略管状体」の形態を有している。
基端側ケース５ＣＰＥは、内部に隔壁５ＣＰＥＷを形成している。
基端側ケース５ＣＰＥは、基端ＰＥ側に接続部材５ＣＰＥＭ、さらにいえば接続部材５ＣＰＥＭとして、複数の溝５ＣＰＥＭを形成している。溝５ＣＰＥＭは、第１側部Ｓ１、第２側部Ｓ２、上部Ｕ、下部Ｄ側に四箇所形成している。
隔壁５ＣＰＥＷよりも末端ＤＥ側に、末端側ケース５ＣＤＥの小径部５ＣＤＥＳを装着している。
隔壁５ＣＰＥＷよりも基端ＰＥ側に、誤刺防止部材７（ゲート７Ｇ、ゲート保持部７Ｆの末端ＤＥ側、プロテクター７Ｐの末端ＤＥ側）を収納するスペース５ＣＰＥＳを有している。
【００２６】
［誤刺防止部材７］
誤刺防止部材７は、図５に示すように、プロテクター７Ｐ、ゲート７Ｇ及びゲート保持部７Ｆを有する。
プロテクター７Ｐは、図１１に示すように、いわゆる「略管状体」の形態を有する。
プロテクター７Ｐは、基端ＰＥ側に小径部７ＰＳを突設している。
プロテクター７Ｐは、末端ＤＥ側寄りに、接続部材７ＰＴを形成している。さらにいえば接続部材７ＰＴとして、複数の突起７ＰＴを突設している。
突起７ＰＴは、第１側部Ｓ１、第２側部Ｓ２、上部Ｕ、下部Ｄ側に四箇所形成している。
【００２７】
プロテクター７Ｐは、突起７ＰＴにより、末端ＤＥ側で、止血弁部材５の基端側ケース５ＣＰＥの基端ＰＥ側の接続部材５ＣＰＥＭ（溝５ＣＰＥＭ）と接続（係合ないし嵌合）している。
図１８に示すように、プロテクター７Ｐは、（小径部７ＰＳを除く）全体長さ７ＰＬ：１００に対する末端ＤＥ側寄り長さ７ＤＥＬ：３０／１００〜５０／１００を、止血弁部材５の基端側ケース５ＣＰＥの基端ＰＥ側内に、挿入することにより、留置針１全体の長手方向の大きさを、コンパクトにすることができる。
プロテクター７Ｐは、接続部材７ＰＴとして、止血弁部材５の溝５ＣＰＥＭを形成し、止血弁部材５は、プロテクター７Ｐは、突起７ＰＴを形成してもよい。
このようにプロテクター７Ｐの末端ＤＥ側寄り（ないし末端ＤＥ側）と、（止血弁部材５）基端側ケース５ＣＰＥの基端ＰＥ側に、長手方向に接続（係合ないし嵌合）でき、かつ接続（係合ないし嵌合）を解除しやすい接続部材（突起７ＰＴ、溝５ＣＰＥＭ）を形成することにより、内針部材２（内針２Ｎ）の抜去操作と同時に、プロテクター７Ｐで内針２Ｎの鋭利な末端ＤＥの保護（シールド）するときの操作性が向上する。
【００２８】
ゲート７Ｇは、図３、図５、図１２に示すように、「一対」で形成している。
ゲート７Ｇは、係止部７ＧＫと遮蔽部７ＧＳを有する。
係止部７ＧＫは、末端ＤＥ側に遮蔽部７ＧＳを装着し、さらに、上部壁７ＧＵ、基端側壁７ＧＰＥ、下部壁７ＧＤを有する。
係止部７ＧＫは、ゲート保持部７Ｆへ係止するための係止孔７ＧＨを形成している。
遮蔽部７ＧＳは、略半円状に形成している。
【００２９】
ゲート保持部７Ｆは、図１３に示すように、長手方向Ｌに形成したヒンジ７ＦＨＮを介して上部Ｕ方向と下部Ｄ方向に二分割してワンピースで形成している。
ゲート保持部７Ｆは、ヒンジ７ＦＨＮを閉じることにより、いわゆる「略管状体」の形態を有する。
ゲート保持部７Ｆは、いわゆる「略管状」の本体７ＦＨを有する。
本体７ＦＨは、末端ＤＥ側に、複数の（４本の）略竿状片７ＦＴＳを延設し、当該略竿状片竿７ＦＴＳのさらに末端ＤＥ側で、第１側部Ｓ１方向に、係止突起７ＦＴを形成している。
また本体７ＦＨは基端ＰＥ側に、小径部７ＦＳを有する。
本体７ＦＨと小径部７ＦＳとの間に、掛止部７ＦＤＳを有する。さらにいえば掛止部７ＦＤＳとして、段部７ＦＤＳを有する。
【００３０】
（誤刺防止部材７の組立て）
誤刺防止部材７の組立て方法の一例について詳述する。
説明の便宜上、図１３の上部Ｕから下部Ｄ側に向けて、略竿状片７ＦＴＳは、
第１略竿状片７ＦＴＳ／１、第２略竿状片７ＦＴＳ／２、第３略竿状片７ＦＴＳ／３、第４略竿状片７ＦＴＳ／４と記載する。
係止突起７ＦＴは、第１係止突起７ＦＴ／１、第２係止突起７ＦＴ／２、第３係止突起７ＦＴ／３、第４係止突起７ＦＴ／４と記載する。
ゲート保持部本体７ＦＨは、上部Ｕから下部Ｄ側に向けて、上部側ゲート保持部本体７ＦＨ／Ｕ、下部側ゲート保持部本体７ＦＨ／Ｄと記載する。
上部Ｕ側に配置したゲート７Ｇを、上部側ゲート７Ｇ／Ｕ、下部Ｕ側に配置したゲート７Ｇを下部側ゲート７Ｇ／Ｄと記載する。
下部側ゲート７Ｇ／Ｄは、（上部側ゲート７Ｇ／Ｕと比較して）上部壁７ＧＵと下部壁７ＧＤの位置が逆転している。
【００３１】
上部側ゲート７Ｇ／Ｕを、上部側係止孔７ＧＨ／Ｕを介して、第１係止突起７ＦＴ／１に係止する。
下部側ゲート７Ｇ／Ｄを、下部側係止孔７ＧＨ／Ｄを介して、第２係止突起７ＦＴ／２に係止する。
本体７ＦＨＵと、本体７ＦＨＤを、ヒンジ７ＦＨＮを介して閉じる。
上部側係止孔７ＧＨ／Ｕに、さらに第４係止突起７ＦＴ／４を係止する。
下部側係止孔７ＧＨ／Ｄに、さらに第３係止突起７ＦＴ／３を係止する。
以上のように、ゲート７Ｇを装着したゲート保持部７Ｆを、プロテクター７Ｐ内部に配置する。
プロテクター７Ｐの末端ＤＥ側は、（止血弁部材）基端側ケース５ＣＰＥの基端ＰＥ側に装着する。
プロテクター７Ｐの突起７ＰＴは、端側ケース５ＣＰＥの溝５ＣＰＥＭに嵌合する。
プロテクター７Ｐの基端ＰＥ側は、内針基２Ｍの末端ＤＥ側の装着部２ＭＤＥに装着する。
【００３２】
（誤刺防止部材７の機能）
ゲート保持部７Ｆにゲート７Ｇを係止した状態で、ゲート保持部７Ｆをプロテクター７Ｐ内に引き込むと、一対の二分割されていたゲート７Ｇを閉じる。
プロテクター７Ｐは、止血弁部材５の（止血弁部材）基端側ケース５ＣＰＥに、複数箇所（４点）で、突起７ＰＴと係止溝５ＣＰＥＭとで、長手方向に沿うように嵌合されており、プロテクター７Ｐの末端ＤＥ側の開口部７ＰＯＤＥを、ゲート７Ｇで閉鎖後、さらに基端ＰＥ側に引っ張ると離脱し、廃棄することができる。
【００３３】
さらにいえば本発明のゲート７は、内針２Ｎを引抜く使用者自身が行うアクションのみによって作動するので、バネや変形にたよらないので信頼性が高い。
さらにゲート７は、作動支点をオフセットした構造（図の例示では、いわゆる「略半円錐形状」）により、作動時と作動後のプロテクター７Ｐの末端ＤＥ側の内壁面との接触面積の差から、内針２Ｎを引き抜く方向（基端ＰＥ方向）のみに、プロテクター７Ｐの開口部７ＰＯＤＥを閉鎖することができる。
このようなに安定して作動するゲート７は、部材の強度が高く、シンプルな形状で創作できる利点がある。
【００３４】
（留置針の組立）
以上説明した本発明の留置針１の内針部材２、外筒部材３、止血弁部材５及び誤刺防止部材７の各部材の組立方法の一例について説明する。
（１）内針部材２に、誤刺防止部材７を装着する。内針２Ｎの末端ＤＥ側から誤刺防止部材７を、挿入して、基端ＰＥ側に移動させる。プロテクター７Ｐの小径部７ＰＳを、内針基２Ｍの（プロテクター）装着部２ＭＤＥに装着（圧入）する。
（２）（外筒部材３の）コネクター３ＣＮの基端側接続部３ＣＮＰＥに、止血弁部材５の（止血弁部材５）末端側ケース５ＣＤＥの末端ＤＥ側（大径部５ＣＤＥＬ）を装着する。
（３）外筒部材３に、内針部材２を挿入する。内針２Ｎの末端ＤＥ側を、止血弁部材５の基端ＰＥ側から挿入し、外筒３Ｈの末端ＤＥから突出させる。
（４）（誤刺防止部材７）のプロテクター７Ｐの突起７ＰＴを、（止血弁部材５）基端側ケース５ＣＰＥの溝５ＣＰＥＭに嵌合する。
（５）（誤刺防止部材７）のゲート７Ｇ、ゲート保持部７Ｆは図５（Ａ）の状態（第一の状態）となる。
【００３５】
（使用方法）
次に留置針１の使用方法の一例について説明する。
（１）図５（Ａ）の（第一の状態）［内針２Ｎの（患部への）穿刺状態］から、図５（Ｂ）に示すように、内針２Ｎを基端ＤＥ方向に引いて移動させる。
（２）内針２Ｎに形成した段部２ＮＤＳは、ゲート保持部７Ｆに形成した段部７ＦＤＳに引っ掛かる。
（３）さらに、内針２Ｎを基端ＰＥ方向に引いて移動させると、ゲート保持部７Ｆは、プロテクター７Ｐのさらに基端ＰＥ方向に引き込まれる。（ゲート保持部７Ｆ）小径部７ＦＳが、
（プロテクター７Ｐ）小径部７ＰＳに装着する。
【００３６】
ゲート７Ｇ（上部側ゲート７ＧＵと下部側ゲート７ＧＤ）は、プロテクター７Ｐの末端ＤＥ側に引き込まれる。プロテクター７Ｐは、ワンピースで形成されており、長手方向に引き伸ばす必要はないので、操作性に優れる。      
ゲート７Ｇ（上部側ゲート７ＧＵと下部側ゲート７ＧＤ）は、遮蔽部７ＧＳを閉じて、プロテクター７Ｐの末端ＤＥ側の開口部７ＰＯＤＥを閉鎖する。
これにより、内針２Ｎの末端ＤＥ側に付着した血液等は、プロテクタ７Ｐより外に飛散することがなく、衛生的である。
（４）プロテクター７Ｐは、止血弁部材５から離脱する。
（５）内針２Ｎの鋭利な末端ＤＥ側の端部は、プロテクター７Ｐに保護（シールド）される。プロテクター７Ｐは、内針２Ｎから外れることはない。
（６）（５）の状態で、内針２Ｎを廃棄することができる。
【００３７】
（留置針１のサイズ等）
本発明の留置針１は、内針２Ｎの抜去・廃棄時の誤刺防止部材７（プロテクター７Ｐ）を組込んだ。
本発明の留置針１のイメージを理解できるようにサイズ、材質等の一例について説明する。
留置針１は、最大外径部φ：９．６ｍｍ、組込時全長３３ｍｍに形成した。
内針２Ｎは、ステンレス製（ＳＵＳ３０４）で、全長１３７ｍｍ、外筒３Ｈに組込時、末端ＤＥ側は、外筒３Ｈの末端ＤＥから突出長５ｍｍ（そのうち刃面８０〜９０％）に形成した。
内針２Ｎは、完全抜去（プロテクター７Ｐ離脱）までのストロークは１００〜１１０ｍｍに形成した。
内針２Ｎの段部２ＮＤＳは、内針２Ｎの途中の一部を、プレス加工で、側部Ｓ方向に広がるように潰して、他の部分と外径差を形成した。
【００３８】
内針基２Ｍは、ポリカーボネートで形成した。
キャップ２は、ポリプロピレン製で、疎水性［ポリテトラフロロエチレン、ＰＴＦＦ／テフロン（登録商標）］の通気フィルター２Ｆを装着した。
内針２Ｎと内針基２Ｍは接着剤を使用して組立てた。
外筒３Ｈは、ポリプロピレン製で、外径φ：１．１〜１．３ｍｍ×内径φ：１．１ｍｍ×長さ３０〜３１ｍｍに形成した。
血流量、クロット対策の側孔３ＨＳＨは、φ：０．８ｍｍ×４個を形成した。 
外筒基３Ｍ、クランピングチューブ３Ｔ及びコネクター３ＣＮは、いずれもポリ塩化ビニルで形成した。
コネクター３ＣＮは、ルアーテーパーを使用し、ＩＳＯ規格対応とした。
外筒基３Ｍとコネクター３ＣＮは溶剤接着で組立てた。
止血弁５Ｖは、穿刺時の部位圧迫による血流コントロールの必要がないシリコンゴム製のものを使用した。
（止血弁部材）末端側ケース５ＣＤＥと（止血弁部材）基端側ケース５ＣＰＥは、ポリプロピレンにより形成した。
誤刺防止部材７のプロテクター７Ｐは、ポリプロピレンにより形成した。
ゲート７Ｇおよびゲート保持部７Ｆも、ポリプロピレンにより形成した。
なお、プロテクター７Ｐ、ゲート７Ｇおよびゲート保持部７Ｆは、軽量で所定の強度を有する材料であれば、ポリプロピレン以外のプラスチックを使用することができる。
【符号の説明】
【００３９】
１    留置針
２    内針部材
２Ｎ  内針
２ＮＤＳ  掛止部（段部）
２Ｍ  内針基
２ＭＤＥ  （プロテクター）装着部
２ＭＰＥ  （キャップ）装着部
２ＭＮ    （内針）装着部
２ＣＰ  キャップ
２ＣＰＳ  小筒
２ＣＰＨ  本体
２Ｆ  通気フィルター
３    外筒部材
３Ｈ  外筒
３ＨＬ  大径部
３ＨＳ  小径部
３ＨＴ  本体
３ＨＴＰテーパー部
３ＨＲＳ  絞り加工部
３ＨＳＨ  側孔
３Ｍ  外筒基
３ＭＴＰテーパー部  
３ＭＨ  本体
３ＭＴ  突起
３Ｔ  クランピングチューブ
３ＣＮ  コネクター
３ＣＮＤＥ  末端側接続部
３ＣＮＰＥ  基端側接続部
５      止血弁部材
５Ｖ    止血弁
５ＶＴ  薄肉部
５ＶＳ  切り込み
５ＣＤＥ  （止血弁部材）末端側ケース
５ＣＤＥＬ  大径部
５ＣＤＥＳ  小径部
５ＣＰＥ  （止血弁部材）基端側ケース
５ＣＰＥＭ  接続部材（溝）
５ＣＰＥＷ  隔壁
５ＣＰＥＳ  スペース
７    誤刺防止部材
７Ｐ  プロテクター
７ＰＴ  接続部材（突起）
７ＰＴＳ  小突起
７ＰＳ  小径部
７ＰＯＤＥ  開口部
７Ｇ    ゲート
７ＧＫ  係止部
７ＧＨ  係止孔
７ＧＳ  遮蔽部
７Ｆ    ゲート保持部
７ＦＨ  本体
７ＦＨＮ  ヒンジ
７ＦＴＳ  略竿状片
７ＦＴ  係止突起
７ＦＳ  小径部
７ＦＤＳ  掛止部（段部）
【図１】
2014023746.tif 000003
【図２】
2014023746.tif 000004
【図３】
2014023746.tif 000005
【図４】
2014023746.tif 000006
【図５】
2014023746.tif 000007
【図６】
2014023746.tif 000008
【図７】
2014023746.tif 000009
【図８】
2014023746.tif 000010
【図９】
2014023746.tif 000011
【図１０】
2014023746.tif 000012
【図１１】
2014023746.tif 000013
【図１２】
2014023746.tif 000014
【図１３】
2014023746.tif 000015
【図１４】
2014023746.tif 000016
【図１５】
2014023746.tif 000017
【図１６】
2014023746.tif 000018
【図１７】
2014023746.tif 000019
【図１８】
2014023746.tif 000020